(57)【特許請求の範囲】
【請求項１】
移動手摺の表面に接触し該表面に保護剤を塗布する塗布位置および該移動手摺の表面から離間した待避位置の間を移動可能に、マンコンベアーのトラス内に配設された保護剤塗布手段と、
上記保護剤塗布手段を上記塗布位置と上記待避位置との間で移動させる移動手段と、
上記保護剤塗布手段に対して上記移動手摺の移動方向の前方に固定され、上記移動手摺の表面に接触し、該表面の汚れを除去するとともに、上記保護剤を拭き取り仕上げをする保護剤拭取手段とを備え、
上記保護剤塗布手段は、トラス内の梁に移動可能に支持された支持板と、
上記支持板に立設され内部に通路が形成された支持軸と、上記支持軸に回転可能に支持され、上記塗布位置で上記移動手摺の表面に接触する液含浸性の円筒形のロールと、上記支持軸の上記通路に連結され、該通路を介して上記ロールに上記保護剤を供給する保護剤供給手段とを有することを特徴とするマンコンベアーの移動手摺表面保守装置。
【請求項２】
上記保護剤拭取手段は、上記保護剤塗布手段に対して上記移動手摺の移動方向の後方にも配設されていることを特徴とする請求項１記載のマンコンベアーの移動手摺表面保守装置。
【請求項３】
上記保護剤は、上記移動手摺の表面を保護するとともに、上記移動手摺の表面の汚れを落とすことを特徴とする請求項１又は請求項２記載のマンコンベアーの移動手摺表面保守装置。
【発明の詳細な説明】
【０００１】
【発明の属する技術分野】
本発明はマンコンベアーの移動手摺を自動的に清掃・保守する装置に係り、簡単な構成とすることができ、またメンテナンスを容易とすることができ、そのためランニングコストを安くすることができるマンコンベアーの移動手摺表面保守装置に関する。
【０００２】
【従来の技術】
従来、特に移動手摺の表面を清掃する際には、例えば移動手摺が移動している状態で、作業者が中性洗剤を含浸させた布等を移動手摺の表面に押し当る等して表面の汚れを落とし、その後今度は高分子潤滑剤等の保護剤を含浸させた布等を表面に押し当て保護剤を塗布し、さらに乾いた布でこの保護剤を拭き取り、さらにまた乾拭きしてつや出しをしていた。
【０００３】
また、図４は従来の移動手摺清掃装置を示す断面図である。また図５は移動手摺清掃装置の設置位置を示す概略図である。図において、移動手摺清掃装置４０は、移動手摺１を囲むように配設された断面Ｃ字型のケース２と、ケース２の内側に貼着され、移動手摺１の表面に接触するフエルト３で構成されている。そして、この移動手摺清掃装置４０は、図５に示されるように、上下のインレットガード４に隣接して固定されている。移動手摺清掃装置４０は、移動手摺１の移動に伴い自動的に移動手摺１の表面の粉塵を拭き取り清掃する。
【０００４】
さらにまた、図６は例えば特開平５−７００７８号に記載された従来の移動手摺清掃装置の他の例を示す側断面図である。また図７は正断面図である。図において、自動清掃装置５０は、清掃ロール６、容器７、洗浄液供給手段８、洗浄液回収手段９と、図示しない清掃ロール回転手段と移動手段、制御手段から成る。
【０００５】
清掃ロール６は、中心軸部材１０と、この中心軸部材１０に取り付けられた液含浸性があるスポンジ状の清掃材１１とから成っている。中心軸部材１０は中空状に形成されて、その外周面には孔１０ａが多数形成されていて、その一方端は閉塞され、他方端はドレン排出口１０ｂとして洗浄液回収手段９のドレン配管１３に接続されている。上記洗浄液回収手段９は、真空ポンプ１２、ドレン配管１３、ドレン配管１３の中途に設けられた排液回収容器１４等からなっていて、真空ポンプ１２の作用で、前記清掃材１１の中心部から中心軸部材１０の孔１０ａを介して排液が吸引され、これがドレン配管１２から容器１４に回収されるようになっている。
【０００６】
清掃ロール６は、作動時には移動手摺１と接触する位置に、不作動時には接触しない位置に移動するようになっており、また図示しない回転手段によって移動手摺１の進行方向と同方向または逆方向に回転するようになっている。この清掃ロール６の下方には清掃材１１から漏れた汚液を回収する容器７が配設されている。また、清掃材１１には、必要に応じ埃除去ブラシ１５が設けられ、この埃除去ブラシ１５で除去された埃も前記容器７に掃き落とされるようになっている。そしてノズル等からなる洗浄液供給手段８は、清掃材１１の移動手摺接触面の回転方向手前側に洗剤等の洗浄液を補給するようになっている。
【０００７】
自動清掃装置５０は制御手段の作動命令により、まず清掃ロール６が回転を始め、その後、洗浄剤供給手段８がノズルから清掃ロール６の清掃材１１に洗浄液を供給する。清掃材１１にある程度洗浄液を浸透させた後、移動装置を作動させ、清掃ロール６を移動手摺１に接触させて、移動手摺１の表面に付着した汚れを清掃ロール６の清掃材１１に転移させることによって清掃を行う。清掃ロール６の清掃材１１は回転手段によって一定速度で回転しているので、汚れを移動手摺１に逆転移することなく次々に汚れを取り除いていく、しかしこのままでは一回転ごとに清掃材１１自体に汚れが堆積してしまうことになる。従来方法ではここで清掃材の交換や更新が必要となっていた。そのため、この従来例では、清掃材１１に汚れが定着しにくい素材を用い、清掃材１１自身を簡単に洗浄できるようにすることによって、劣化による交換が発生するまで繰り返し使用可としている。また中心軸部材１０に洗浄液回収手段９を接続し、清掃ロール６に含まれる汚れた洗浄液を吸い取ることにより、汚れの蓄積を防いでいる。
【０００８】
【発明が解決しようとする課題】
図４，５に示された従来例においては、ランニングコストが高いことが難点であった。また図６，７に示された従来例においては、清掃ロール６以外の場所にも洗浄液が飛散し、他機器に損傷を与えてしまった。また真空ポンプ１２で吸引するので清掃ロール６の表面が変形し、移動手摺１との接触面積が減少し、清掃能力が低下する問題点があった。さらに装置が複雑で高価なものとなり、また大型になるので、マンコンベアーの欄干に設置するのが困難であった。
【０００９】
さらに、洗浄液等で清掃した後は、保護剤の塗布、またその拭き取り、さらに乾拭きによるつや出しが必要であった。
【００１０】
この発明は、上記のような問題点を解消するためになされたもので、小型で簡単な構成とすることができ、またランニングコストが安いマンコンベアーの移動手摺表面保守装置を得ることが目的である。
【００１１】
【課題を解決するための手段】
この発明によるマンコンベアーの移動手摺表面保守装置においては、移動手摺の表面に接触し表面に保護剤を塗布する塗布位置および移動手摺の表面から離間した待避位置の間を移動可能に、マンコンベアーのトラス内に配設された保護剤塗布手段と、保護剤塗布手段を塗布位置と待避位置との間で移動させる移動手段と、保護剤塗布手段に対して移動手摺の移動方向の前方に固定され、移動手摺の表面に接触し、表面の汚れを除去するとともに、保護剤を拭き取り仕上げをする保護剤拭取手段とを備え、保護剤塗布手段は、トラス内の梁に移動可能に支持された支持板と、支持板に立設され内部に通路が形成された支持軸と、支持軸に回転可能に支持され、塗布位置で移動手摺の表面に接触する液含浸性の円筒形のロールと、支持軸の通路に連結され、通路を介してロールに保護剤を供給する保護剤供給手段とを有する。
【００１３】
また、保護剤拭取手段は、保護剤塗布手段に対して移動手摺の移動方向の後方にも配設されている。
【００１４】
また、保護剤は、移動手摺の表面を保護するとともに、移動手摺の表面の汚れを落とす。
【００１５】
【発明の実施の形態】
実施の形態１．
図１はこの発明のマンコンベアーの移動手摺表面保守装置を示す一部を断面とした側面図である。また図２は保護剤拭取手段の一部を断面とした正面図である。また図３は保護剤塗布手段の一部を断面とした正面図である。図において、エスカレータのトラス内の梁２０には、移動手摺１の側方に位置するように２枚の支持板２１が、移動手摺１の移動方向に並んで固定されている。各々の支持板２１の主面には、移動手摺１の主面と平行になるように支持軸２２が立設されている。そしてそれぞれの支持軸２２には、外周部が例えば厚手のフエルトで作製された円筒状の乾拭きロール２３が回転可能に取り付けられている。乾拭きロール２３の外周面は、移動手摺１の表面に接触し、移動手摺１の移動に伴って回転する。乾拭きロール２３は、後述する保護剤を拭き取る保護剤拭取手段を構成している。
【００１６】
また２個の乾拭きロール２３の間の位置において、トラス内の梁２０には、支持棒２４が下方に向かって垂直に２本立設されている。支持棒２４には、支持板２５が垂直方向に移動可能に取り付けられている。支持板２５は、鉄板を断面Ｌ字型に折り曲げて作製され、上部折り曲げ部に固定された円筒状ガイド２５ａに、支持棒２４を貫通させ垂直方向にスライド可能に支持されている。
【００１７】
支持板２５と梁２０との間には、支持棒２４に貫通されてコイルバネ２７が縮設されている。支持板２５は、コイルバネ２７によって下方に付勢されている。また支持板２５と梁２０との間には、ソレノイド２８が配設されている。ソレノイド２８は、エスカレータの運転時に給電され励磁され、励磁中は支持板２５を吸引しコイルバネ２７の反発力に打ち勝って上方に移動させる。
【００１８】
支持板２５の主面には、移動手摺１の主面と平行になるように支持軸３０が立設されている。支持軸３０の基部は、支持板２５を貫通している。そして支持軸３０には、外周部が例えばスポンジ等の液含浸性の材料で作製された円筒状の保護剤塗布ロール３１が回転可能に取り付けられている。保護剤塗布ロール３１の外周面は、移動手摺１の表面に接触している。保護剤塗布ロール３１は、移動手摺１の移動に伴い回転する。
【００１９】
支持軸３０には、軸芯に沿って通路３０ａが形成されている。通路３０ａは、支持板２５側の端面から形成され、支持軸３０の中心軸に沿って延び、その後直角に曲がって支持軸３０の中央部で外側面に開口している。通路３０ａは、支持板２５の裏面において、タンク３４から延設されたパイプ３３と接続されている。タンク３４には、高分子潤滑剤等の保護剤が貯液されている。パイプ３３の途中には、電磁弁３５が設けられている。電磁弁３５は、電気的に接続されたタイマー３６によって、所定の時間間隔で開閉し保護剤の吐出量を制御する。パイプ３３、タンク３４、電磁弁３５およびタイマー３６は、保護剤供給手段６０を構成している。
【００２０】
タンク３４に貯液された保護剤は、パイプ３３を通り支持軸３０から所定量吐出され、保護剤塗布ロール３１に含浸される。保護剤塗布ロール３１は、移動手摺１の移動に伴って回転し、移動手摺１の表面に保護剤を塗布する。支持板２５、支持軸３０、保護剤塗布ロール３１および保護剤供給手段６０は、保護剤塗布手段７０を構成している。保護剤塗布ロール３１が、移動手摺１の表面に接触し、移動手摺１の表面に保護剤を塗布する位置は塗布位置である。エスカレータの運転が停止するとソレノイド２８の励磁がなくなり、保護剤塗布ロール３１は、下方の待避位置に待避する。コイルバネ２７とソレノイド２８は、保護剤塗布手段を塗布位置と待避位置に移動させる移動手段を構成している。また、エスカレータの運転が停止すると電磁弁３４は閉じたままとなる。
【００２１】
尚、本発明の保護剤である高分子潤滑剤は、移動手摺１の表面の保護をするとともに、移動手摺１の表面の汚れも落とす作用を有する。
【００２２】
次に動作を説明する。エスカレータが運転されると、保護剤塗布ロール３１が塗布位置に移動される。そして、移動手摺１の移動に伴い回転し、移動手摺１の表面に保護剤を塗布する。保護剤は移動手摺１の表面の汚れを落とす。保護剤を塗された移動手摺１は、さらに移動し乾拭きロール２３によって、表面の汚れと余分な保護剤を除去され、同時に乾拭きされて仕上げられる。電磁弁３４が閉じられ、保護剤が供給されていないときには、乾拭きロール２３は、移動手摺１の表面の粉塵等を除去している。また、エスカレータの運転方向が変更され、移動手摺１の移動方向が逆にされると、他方の乾拭きロール２３によって、落とされた汚れと余分な保護剤が除去される。
【００２３】
このような構成のマンコンベアーの移動手摺表面保守装置においては、マンコンベアーの運転時のみに、自動的に移動手摺の表面に保護剤を塗布することができる。そして、小型で簡単な構成とすることができ、そのため安価でランニングコストを安くすることができる。また簡単な構成で確実に移動手摺に保護剤を塗布することができる。さらに、移動手摺の移動方向が逆になった場合にも、装置の方向を変えることなく対応できる。そして移動手摺の表面に保護剤を塗布するとともに、表面の汚れを落とす。
【００２４】
本発明のマンコンベアーの移動手摺表面保守装置は、エスカレータに限らず、無端状の移動手摺を有する例えば動く歩道などにも設置することができ、同様の効果を得ることができる。
【００２５】
【発明の効果】
この発明によるマンコンベアーの移動手摺表面保守装置においては、移動手摺の表面に接触し表面に保護剤を塗布する塗布位置および移動手摺の表面から離間した待避位置の間を移動可能に、マンコンベアーのトラス内に配設された保護剤塗布手段と、保護剤塗布手段を塗布位置と待避位置との間で移動させる移動手段と、保護剤塗布手段に対して移動手摺の移動方向の前方に固定され、移動手摺の表面に接触し、表面の汚れを除去するとともに、保護剤を拭き取り仕上げをする保護剤拭取手段とを備え、保護剤塗布手段は、トラス内の梁に移動可能に支持された支持板と、支持板に立設され内部に通路が形成された支持軸と、支持軸に回転可能に支持され、塗布位置で移動手摺の表面に接触する液含浸性の円筒形のロールと、支持軸の通路に連結され、通路を介してロールに保護剤を供給する保護剤供給手段とを有する。そのため、マンコンベアーの運転時に、簡単な構成で、確実に、かつ、自動的に移動手摺の表面に保護剤を塗布することができる。そして、小型で簡単な構成で安価にできランニングコストを安くすることができる。
【００２７】
また、保護剤拭取手段は、保護剤塗布手段に対して移動手摺の移動方向の後方にも配設されている。そのため、移動手摺の移動方向が逆になった場合にも、装置の方向を変えることなく対応できる。
【００２８】
また、保護剤は、移動手摺の表面を保護するとともに、移動手摺の表面の汚れを落とす。そのため、移動手摺の表面の汚れを落とすとともに保護もする。
【図面の簡単な説明】
【図１】この発明のマンコンベアーの移動手摺表面保守装置を示す一部を断面とした側面図である。
【図２】護剤拭取手段の一部を断面とした正面図である。
【図３】保護剤塗布手段の一部を断面とした正面図である。
【図４】従来の移動手摺清掃装置を示す断面図である。
【図５】従来の移動手摺清掃装置の設置位置を示す概略図である。
【図６】従来の移動手摺清掃装置の他の例を示す側断面図である。
【図７】従来の移動手摺清掃装置の他の例を示す正断面図である。
【符号の説明】
２３  乾拭きロール（保護剤拭取手段）、２５  支持板、２７  コイルバネ（移動手段）、２８  ソレノイド（移動手段）、３０  支持軸、３１  保護剤塗布ロール（ロール）、６０  保護剤供給手段、７０  保護剤塗布手段。
【図１】
0003559140.tif 000002
【図２】
0003559140.tif 000003
【図３】
0003559140.tif 000004
【図４】
0003559140.tif 000005
【図５】
0003559140.tif 000006
【図６】
0003559140.tif 000007
【図７】
0003559140.tif 000008